(57)【要約】【課題】自然で且つ直観的にディスプレイモードを切り替えることができるディスプレイ装置、ユーザ入力装置およびその制御方法を提供することにある。【解決手段】ディスプレイ装置、ユーザ入力装置およびその制御方法が開示される。複数のディスプレイモードを有するディスプレイ装置と接続されたユーザ入力装置は、第１ディスプレイモードに対応するユーザインターフェース画面を操作するためのユーザ命令が入力されるタッチパッド部と、第２ディスプレイモードに対応するユーザインターフェース画面を操作するためのユーザ命令が入力されるボタン部と、前記タッチパッド部または前記ボタン部を介して入力されたモード切り替え命令を前記ディスプレイ装置に伝送する通信部とを含み、前記モード切り替え命令は、現在のディスプレイモードと異なるディスプレイモードに対応する操作方式によって入力されたユーザ命令である。【選択図】図１
2013143142.tif 000002
【特許請求の範囲】
【請求項１】
複数のディスプレイモードを有するディスプレイ装置において、
ユーザインターフェース画面をディスプレイするディスプレイ部と、
前記ディスプレイ装置の前記複数のディスプレイモードに対応する複数の操作方式を有するユーザ入力装置からモード切り替え命令を受信する通信部と、
前記通信部を介して受信されたモード切り替え命令に従ってユーザインターフェース画面を再構成する制御部と
を含み、
前記モード切り替え命令は、
現在のディスプレイモードと異なるディスプレイモードに対応する操作方式によって入力されたユーザ命令であることを特徴とするディスプレイ装置。
【請求項２】
前記複数のディスプレイモードは、ハイライトモードとポインティングモードとを含み、
前記モード切り替え命令は、
前記現在のディスプレイモードがハイライトモードである場合、ポインティングモードの操作に使われる操作方式で入力され、
前記制御部は、前記モード切り替え命令に従って前記ユーザインターフェース画面をポインティングモードに切り替えることを特徴とする請求項１に記載のディスプレイ装置。
【請求項３】
前記ポインティングモードの操作に使われる操作方式は、タッチ入力方式であることを特徴とする請求項２に記載のディスプレイ装置。
【請求項４】
前記モード切り替え命令は、
予め設定されたタッチドラッグ回数を満たす操作であることを特徴とする請求項１〜３のいずれか１項に記載のディスプレイ装置。
【請求項５】
前記モード切り替え命令は、
予め設定されたタッチタップ回数を満たす操作であることを特徴とする請求項１〜３のいずれか１項に記載のディスプレイ装置。
【請求項６】
前記制御部は、
前記ポインティングモードに切り替わると、前記ユーザインターフェース画面にポインタを表示し、前記モード切り替え命令に対応して前記ポインタを段階的に鮮明に表示することを特徴とする請求項２に記載のディスプレイ装置。
【請求項７】
前記複数のディスプレイモードは、ハイライトモードとポインティングモードとを含み、
前記モード切り替え命令は、
前記現在のディスプレイモードがポインティングモードである場合、ハイライトモードの操作に使われる操作方式で入力され、
前記制御部は、前記モード切り替え命令に従って前記ユーザインターフェース画面をハイライトモードに切り替えることを特徴とする請求項１に記載のディスプレイ装置。
【請求項８】
前記ハイライトモードの操作に使われる操作方式は、ボタン入力方式であることを特徴とする請求項７に記載のディスプレイ装置。
【請求項９】
複数のディスプレイモードを有するディスプレイ装置と接続されたユーザ入力装置において、
第１ディスプレイモードに対応するユーザインターフェース画面を操作するためのユーザ命令が入力されるタッチパッド部と、
第２ディスプレイモードに対応するユーザインターフェース画面を操作するためのユーザ命令が入力されるボタン部と、
前記タッチパッド部または前記ボタン部を介して入力されたモード切り替え命令を前記ディスプレイ装置に伝送する通信部と
を含み、
前記モード切り替え命令は、
現在のディスプレイモードと異なるディスプレイモードに対応する操作方式によって入力されたユーザ命令であることを特徴とするユーザ入力装置。
【請求項１０】
前記複数のディスプレイモードは、ハイライトモードとポインティングモードとを含み、
前記モード切り替え命令は、
前記現在のディスプレイモードがハイライトモードである場合、ポインティングモードの操作に使われる操作方式で入力されることを特徴とする請求項９に記載のユーザ入力装置。
【請求項１１】
前記複数のディスプレイモードは、ハイライトモードとポインティングモードとを含み、
前記モード切り替え命令は、
前記現在のディスプレイモードがポインティングモードである場合、ハイライトモードの操作に使われる操作方式で入力されることを特徴とする請求項９に記載のユーザ入力装置。
【請求項１２】
複数のディスプレイモードを有するディスプレイ装置の制御方法において、
現在のディスプレイモードに対応するユーザインターフェース画面をディスプレイするステップと、
前記複数のディスプレイモードに対応する複数の操作方式を有するユーザ入力装置からモード切り替え命令を受信するステップと、
前記受信されたモード切り替え命令に従って前記ユーザインターフェース画面を再構成するステップと
を含み、
前記モード切り替え命令は、
現在のディスプレイモードと異なるディスプレイモードに対応する操作方式によって入力されたユーザ命令であることを特徴とするディスプレイ装置の制御方法。
【請求項１３】
前記複数のディスプレイモードは、ハイライトモードとポインティングモードとを含み、
前記モード切り替え命令は、
前記現在のディスプレイモードがハイライトモードである場合、ポインティングモードの操作に使われる操作方式で入力され、
前記画面を再構成するステップは、
前記モード切り替え命令に従ってユーザインターフェース画面をポインティングモードに切り替えることを特徴とする請求項１２に記載のディスプレイ装置の制御方法。
【請求項１４】
前記複数のディスプレイモードは、ハイライトモードとポインティングモードとを含み、
前記モード切り替え命令は、
前記現在のディスプレイモードがポインティングモードである場合、ハイライトモードの操作に使われる操作方式で入力され、
前記画面を再構成するステップは、
前記モード切り替え命令に従って前記ユーザインターフェース画面をハイライトモードに切り替えることを特徴とする請求項１２に記載のディスプレイ装置の制御方法。
【請求項１５】
複数のディスプレイモードを有するディスプレイ装置と接続されたユーザ入力装置の制御方法において、
前記ディスプレイ装置のディスプレイモード切り替えのためのモード切り替え命令が入力されるステップと、
前記入力されたモード切り替え命令を前記ディスプレイ装置に伝送するステップとを含み、
前記モード切り替え命令は、
現在のディスプレイモードと異なるディスプレイモードに対応する操作方式によって入力されたユーザ命令であることを特徴とする制御方法。
【発明の詳細な説明】
【技術分野】
【０００１】
本発明は、ディスプレイ装置、ユーザ入力装置およびその制御方法に関し、より詳細には、複数のディスプレイモードを有するディスプレイ装置、ユーザ入力装置およびその制御方法に関する。
【背景技術】
【０００２】
近年、スマートテレビの発達により、アイコン等を含む多様なユーザインターフェース画面が提供されている。このようなユーザインターフェース画面は、従来のテレビリモコンのみで制御することに不都合が生じていた。それにより、より便利な入力方法を提供するために、ユーザ入力装置にタッチパッドを適用した商品が発売されている。
【０００３】
タッチパッドを適用したユーザ入力装置では、従来の４方向中心のユーザインターフェースに対応するために、特定領域をタップ（Ｔａｐ）したり、方向性をもつフリック（Ｆｌｉｃｋ）等の方法を採用している。なお、４方向中心のディスプレイモードとポインタ（Ｐｏｉｎｔｅｒ）を使用したディスプレイモードのモード切り替えのために、物理的なボタンを別途に提供する方式が採用されている。
【０００４】
上述のタッチパッドの一定領域をタップする方式や、モード切り替えのために別途の物理的なボタンをクリックする場合、ユーザが入力装置を見詰めた状態での操作が必要であり、コンテンツ利用中の集中を妨害する可能性があり、方向性をもつフリック動作は、ユーザの誤操作をもたらす可能性が高く、長時間にわたる操作の際は疲労感を感じるという問題点があった。
【先行技術文献】
【特許文献】
【０００５】
【特許文献１】米国特開第２００３−０７１８５５号公報
【特許文献２】米国特許第７１７４５１８号明細書
【特許文献３】米国特開第２００７−１０６９４５号公報
【特許文献４】米国特許第７９６６５６８号明細書
【発明の概要】
【発明が解決しようとする課題】
【０００６】
そこで、本発明は、上記問題に鑑みてなされたものであり、本発明の目的とするところは、自然で且つ直観的にディスプレイモードを切り替えることができるディスプレイ装置、ユーザ入力装置およびその制御方法を提供することにある。
なお、ディスプレイモードを自然に切り替えつつ、ユーザにとって慣れている従来の４方向中心のボタン入力とタッチパッドを用いた入力を同時に提供して、ユーザにより安定していて且つ便利な操作環境を提供することにある。
【課題を解決するための手段】
【０００７】
本発明の一実施形態に係る複数のディスプレイモードを有するディスプレイ装置は、ユーザインターフェース画面をディスプレイするディスプレイ部と、前記ディスプレイ装置の前記複数のディスプレイモードに対応する複数の操作方式を有するユーザ入力装置からモード切り替え命令を受信する通信部と、前記通信部を介して受信されたモード切り替え命令に従ってユーザインターフェース画面を再構成する制御部とを含み、前記モード切り替え命令は、現在のディスプレイモードと異なるディスプレイモードに対応する操作方式によって入力されたユーザ命令であってよい。
【０００８】
ここで、前記複数のディスプレイモードは、ハイライト（Ｈｉｇｈｌｉｇｈｔ）モードとポインティング（Ｐｏｉｎｔｉｎｇ）モードとを含み、前記モード切り替え命令は、前記現在のディスプレイモードがハイライトモードである場合、ポインティングモードの操作に使われる操作方式で入力され、前記制御部は、前記モード切り替え命令に従って前記ユーザインターフェース画面をポインティングモードに切り替えてよい。
【０００９】
なお、前記ポインティングモードの操作に使われる操作方式は、タッチ入力方式であってよく、前記モード切り替え命令は、予め設定されたタッチドラッグ（Ｄｒａｇ）回数を満たす操作または予め設定されたタッチタップ（Ｔａｐ）回数を満たす操作であってよい。
【００１０】
そして、前記制御部は、前記ポインティングモードに切り替わると、前記ユーザインターフェース画面にポインタを表示し、前記モード切り替え命令に対応して前記ポインタを段階的に鮮明に表示してよい。
【００１１】
なお、前記複数のディスプレイモードは、ハイライト（Ｈｉｇｈｌｉｇｈｔ）モードとポインティング（Ｐｏｉｎｔｉｎｇ）モードとを含み、前記モード切り替え命令は、前記現在のディスプレイモードがポインティングモードである場合、ハイライトモードの操作に使われる操作方式で入力され、前記制御部は、前記モード切り替え命令に従って前記ユーザインターフェース画面をハイライトモードに切り替えてよい。
【００１２】
そして、前記ハイライトモードの操作に使われる操作方式は、ボタン入力方式であってよい。
【００１３】
一方、本発明の一実施形態に係る複数のディスプレイモードを有するディスプレイ装置と接続されたユーザ入力装置は、第１ディスプレイモードに対応するユーザインターフェース画面を操作するためのユーザ命令が入力されるタッチパッド部と、第２ディスプレイモードに対応するユーザインターフェース画面を操作するためのユーザ命令が入力されるボタン部と、前記タッチパッド部または前記ボタン部を介して入力されたモード切り替え命令を前記ディスプレイ装置に伝送する通信部とを含み、前記モード切り替え命令は、現在のディスプレイモードと異なるディスプレイモードに対応する操作方式によって入力されたユーザ命令であってよい。
【００１４】
ここで、前記複数のディスプレイモードは、ハイライト（Ｈｉｇｈｌｉｇｈｔ）モードとポインティング（Ｐｏｉｎｔｉｎｇ）モードとを含み、前記モード切り替え命令は、前記現在のディスプレイモードがハイライトモードである場合、ポインティングモードの操作に使われる操作方式で入力されてよい。
【００１５】
そして、前記ポインティングモードの操作に使われる操作方式は、タッチ入力方式であってよく、前記モード切り替え命令は、予め設定されたタッチドラッグ回数を満たす操作または予め設定されたタッチタップ回数を満たす操作であってよい。
【００１６】
なお、前記複数のディスプレイモードは、ハイライト（Ｈｉｇｈｌｉｇｈｔ）モードとポインティング（Ｐｏｉｎｔｉｎｇ）モードとを含み、前記モード切り替え命令は、前記現在のディスプレイモードがポインティングモードである場合、ハイライトモードの操作に使われる操作方式で入力されてよい。
【００１７】
そして、前記ハイライトモードの操作に使われる操作方式は、ボタン入力方式であってよい。
【００１８】
一方、本発明の一実施形態に係るディスプレイ装置およびユーザ入力装置を含むシステムは、前記ディスプレイ装置のディスプレイモードに応じて異なる動作方式でユーザ命令が入力されるユーザ入力装置と、前記ユーザ入力装置から受信されたモード切り替え命令に従ってユーザインターフェース画面を再構成するディスプレイ装置とを含み、前記モード切り替え命令は、現在のディスプレイモードと異なるディスプレイモードに対応する操作方式によって入力されたユーザ命令であってよい。
【００１９】
一方、本発明の一実施形態に係る複数のディスプレイモードを有するディスプレイ装置の制御方法は、現在のディスプレイモードに対応するユーザインターフェース画面をディスプレイするステップと、前記複数のディスプレイモードに対応する複数の操作方式を有するユーザ入力装置からモード切り替え命令を受信するステップと、前記受信されたモード切り替え命令に従って前記ユーザインターフェース画面を再構成するステップとを含み、前記モード切り替え命令は、現在のディスプレイモードと異なるディスプレイモードに対応する操作方式によって入力されたユーザ命令であってよい。
【００２０】
ここで、前記複数のディスプレイモードは、ハイライト（Ｈｉｇｈｌｉｇｈｔ）モードとポインティング（Ｐｏｉｎｔｉｎｇ）モードとを含み、前記モード切り替え命令は、前記現在のディスプレイモードがハイライトモードである場合、ポインティングモードの操作に使われる操作方式で入力され、前記画面を再構成するステップは、前記モード切り替え命令に従ってユーザインターフェース画面をポインティングモードに切り替えるものであってよい。
【００２１】
そして、前記ポインティングモードの操作に使われる操作方式は、タッチ入力方式であってよく、前記モード切り替え命令は、予め設定されたタッチドラッグ回数を満たす操作または予め設定されたタッチタップ回数を満たす操作であってよい。
【００２２】
そして、前記画面を再構成するステップは、前記ポインティングモードに切り替わると、前記ユーザインターフェース画面にポインタを表示し、前記モード切り替え命令に対応して前記ポインタを段階的に鮮明に表示するものであってよい。
【００２３】
なお、前記複数のディスプレイモードは、ハイライト（Ｈｉｇｈｌｉｇｈｔ）モードとポインティング（Ｐｏｉｎｔｉｎｇ）モードとを含み、前記モード切り替え命令は、前記現在のディスプレイモードがポインティングモードである場合、ハイライトモードの操作に使われる操作方式で入力され、前記画面を再構成するステップは、前記モード切り替え命令に従って前記ユーザインターフェース画面をハイライトモードに切り替えてよい。
【００２４】
そして、前記ハイライトモードの操作に使われる操作方式は、ボタン入力方式であってよい。
【００２５】
一方、本発明の一実施形態に係る複数のディスプレイモードを有するディスプレイ装置と接続されたユーザ入力装置の制御方法は、前記ディスプレイ装置のディスプレイモード切り替えのためのモード切り替え命令が入力されるステップと、前記入力されたモード切り替え命令を前記ディスプレイ装置に伝送するステップとを含み、前記モード切り替え命令は、現在のディスプレイモードと異なるディスプレイモードに対応する操作方式によって入力されたユーザ命令であってよい。
【００２６】
ここで、前記複数のディスプレイモードは、ハイライト（Ｈｉｇｈｌｉｇｈｔ）モードとポインティング（Ｐｏｉｎｔｉｎｇ）モードとを含み、前記モード切り替え命令は、前記現在のディスプレイモードがハイライトモードである場合、ポインティングモードの操作に使われる操作方式で入力されるものであってよい。
【００２７】
そして、前記ポインティングモードの操作に使われる操作方式は、タッチ入力方式であってよく、前記モード切り替え命令は、予め設定されたタッチドラッグ回数を満たす操作または予め設定されたタッチタップ回数を満たす操作であってよい。
【００２８】
なお、前記複数のディスプレイモードは、ハイライト（Ｈｉｇｈｌｉｇｈｔ）モードとポインティング（Ｐｏｉｎｔｉｎｇ）モードとを含み、前記モード切り替え命令は、前記現在のディスプレイモードがポインティングモードである場合、ハイライトモードの操作に使われる操作方式で入力されるものであってよい。
そして、前記ハイライトモードの操作に使われる操作方式は、ボタン入力方式であってよい。
【発明の効果】
【００２９】
以上説明したように、本発明によれば、ユーザは安定していて且つ便利にユーザ入力装置を操作することができ、ディスプレイ装置のディスプレイモードを自然に且つ直観的に切り替えることができる。
【図面の簡単な説明】
【００３０】
【図１】本発明の一実施形態に係るディスプレイ装置およびユーザ入力装置を含むシステムを示す図である。
【図２】本発明の一実施形態に係るディスプレイ装置の構成を示すブロック図である。
【図３】本発明の一実施形態に係るユーザ入力装置の構成を示すブロック図である。
【図４】タッチパッド部およびボタン部の構成を示す図である。
【図５】タッチパッド部の操作方式を示す図である。
【図６】ボタン部の操作方式を示す図である。
【図７】ハイライトモードからポインティングモードへのユーザインターフェース画面の再構成過程を示す図である。
【図８】ポインティングモードからハイライトモードへのユーザインターフェース画面の再構成過程を示す図である。
【図９】本発明の一実施形態に係るディスプレイ装置の制御方法を示すフローチャートである。
【図１０】本発明の一実施形態に係るディスプレイ装置と接続されたユーザ入力装置の制御方法を示すフローチャートである。
【発明を実施するための形態】
【００３１】
以下に添付図面を参照しながら、本発明の好適な実施形態について詳細に説明する。
【００３２】
図１は、本発明の一実施形態に係るディスプレイ装置およびユーザ入力装置を含むシステムを示す図である。
図１に示すように、ユーザは、ユーザ入力装置２００を介してディスプレイ装置１００を制御してよい。具体的に、ユーザは、ユーザ入力装置２００を用いてディスプレイ装置１００を制御するためのユーザ命令を入力してよく、ディスプレイ装置１００は、ユーザ入力装置２００から受信されたユーザ命令に従って制御されてよい。そのために、ディスプレイ装置１００は、ユーザ入力装置２００と接続されて通信する。具体的に、ディスプレイ装置１００とユーザ入力装置２００とは、Ｗｉ−Ｆｉ、ブルートゥース（Ｂｌｕｅｔｏｏｔｈ（登録商標））、ＩＲＤＡ（Ｉｎｆｒａｒｅｄ  Ｄａｔａ  Ａｓｓｏｃｉａｔｉｏｎ）、ＲＦ（Ｒａｄｉｏ  Ｆｒｅｑｕｅｎｃｙ）、ＩＥＥＥ  ８０２．１１、ＷＬＡＮ、ＨＲ  ＷＰＡＮ、ＵＷＢ、ＬＲ  ＷＰＡＮ、ＩＥＥＥ  １３９４等のような無線通信技術で通信してよい。
【００３３】
一方、ディスプレイ装置１００は、複数のディスプレイモード（Ｍｏｄｅ）を含んでよい。ここで、ディスプレイモードとは、ディスプレイ装置１００のユーザインターフェース画面の制御方式を意味する。たとえば、ハイライト（Ｈｉｇｈｌｉｇｈｔ）モードまたはポインティング（Ｐｏｉｎｔｉｎｇ）モード等があってよい。ハイライトモードとは、現在選択されたユーザインターフェース画面上のアイコンまたは目録等をハイライトで表示し、上下左右方向に沿ってハイライトを移動して選択するように制御するディスプレイモードである。ポインティングモードとは、ユーザインターフェース画面上にポインタを表示し、ポインタを移動させてアイコンまたは目録等を選択するディスプレイモードである。
【００３４】
なお、ユーザ入力装置２００は、ディスプレイ装置１００の複数のディスプレイモードに対応する複数の操作方式を有してよい。たとえば、上下左右方向ボタンを用いた操作方式またはタッチパッドを利用する操作方式等があってよい。
【００３５】
図２は、本発明の一実施形態に係るディスプレイ装置の構成を示すブロック図である。図２に示すように、ディスプレイ装置１００は、通信部１１０と、制御部１２０およびディスプレイ部１３０を含む。
【００３６】
通信部１１０は、ユーザ入力装置２００からモード切り替え命令を受信する。すなわち、ディスプレイ装置１００の複数のディスプレイモードに対応する複数の操作方式を有するユーザ入力装置からモード切り替え命令を受信することができる。モード切り替え命令とは、ディスプレイ装置（図１の１００）の複数のディスプレイモードのうち、現在のディスプレイモードと異なるディスプレイモードに切り替えるためのユーザ命令のことを意味する。現在のディスプレイモードとは、モード切り替え命令が入力される際のディスプレイ装置１００のディスプレイモードを意味する。なお、具体的に、本発明におけるモード切り替え命令とは、現在のディスプレイモードと異なるディスプレイモードに対応する操作方式によって入力されたユーザ命令であってよい。各ディスプレイモードに対応する操作方式およびモード切り替え命令に対しては、図３および図４を参照してユーザ入力装置２００に関連して詳細に説明する。
【００３７】
制御部１２０は、ディスプレイ部１３０にディスプレイされたユーザインターフェース画面を再構成する。具体的に、制御部１２０は、通信部１１０を介して受信されたモード切り替え命令に従ってユーザインターフェース画面を再構成してよい。すなわち、ユーザインターフェース画面を再構成するように、ディスプレイ部１３０を制御することができる。なお、制御部１２０は、ディスプレイ装置１００の動作全般を制御することができる。
【００３８】
ディスプレイ部１３０は、ユーザインターフェース画面をディスプレイする。具体的に、ディスプレイ部１３０は、複数のディスプレイモードの各々に対応するユーザインターフェース画面をディスプレイすることができる。ここで、ディスプレイ部１３０は、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等のような多様な装置で実現されてよい。
【００３９】
なお、ディスプレイ部１３０は、制御部１２０の制御により、ユーザインターフェース画面を再構成してよい。具体的に、通信部１１０を介して受信されたモード切り替え命令が受信されると、制御部１２０は、モード切り替え命令に従ってユーザインターフェース画面を再構成するようにディスプレイ部１３０を制御し、それにより、ディスプレイ部１３０は切り替えられたディスプレイモードに対応するユーザインターフェース画面をディスプレイしてよい。
【００４０】
図３は、本発明の一実施形態に係るユーザ入力装置の構成を示すブロック図である。図３に示すように、ユーザ入力装置２００は、タッチパッド部２１０と、ボタン部２２０および通信部２３０を含む。
【００４１】
タッチパッド部２１０は、ユーザのタッチ操作によってユーザ命令を受信する。ここで、タッチパッドとは、ユーザの指先またはその他の物体等を用いてタッチパッド部２１０に接触することにより、ユーザ命令を入力する操作方式を意味する。そのために、タッチパッド部２１０は、タッチパネル（Ｔｏｕｃｈ  Ｐａｎｅｌ）という装置を利用してよい。タッチパネルは、静電容量を検出できる膜を使ってユーザの手または静電電荷を有する物体の接触位置を把握するパネルまたは抵抗膜を使って人の指またはその他の物体の接触位置を把握するパネルまたは上下左右に目に見えない赤外線を流して画面に数多くの四角の格子が生じるようにすることにより、指先やその他の物体でその格子に接触すると、その位置を把握することができるようにする等のパネルを意味する。
【００４２】
タッチ操作（または、タッチ入力方式）は、複数のディスプレイモードのうちのポインティングモードに対応する操作方式である。すなわち、タッチ操作は、ポインティングモードの操作に使われる操作方式であり、ユーザはポインティングモードでタッチパッド部２１０を介してユーザ命令を入力することにより、ディスプレイ装置１００を制御してよい。
【００４３】
ハイライトモードでタッチパッド部２１０を介して入力されたタッチ操作は、モード切り替え命令を意味する。すなわち、ユーザは、ハイライトモードでタッチパッド部２１０を介してユーザ命令を入力することにより、ディスプレイモードをポインティングモードに切り替えてよい。
【００４４】
ハイライトモードにおけるモード切り替え命令は、タッチパッド部２１０によるタッチドラッグ（Ｄｒａｇ）操作およびタッチタップ（Ｔａｐ）操作であってよい。タッチドラッグ操作は、指先またはその他の物体を用いてタッチパッド部２１０に接触した後、接触した状態で接触部分を動かす操作方式をいう。タッチタップ操作は、指先またはその他の物体を用いてタッチパッド部２１０に接触した後、動きがない際は、操作方式、すなわちタッチパッド部２１０を叩く操作方式をいう。
【００４５】
ボタン部２２０は、ユーザのボタン入力操作によってユーザ命令を受信する。ボタン入力操作とは、ユーザがボタン部２２０のボタンを押してユーザ命令を入力する操作方式を意味する。
【００４６】
ボタン入力操作は、複数のディスプレイモードのうち、ハイライトモードに対応する操作方式である。すなわち、ボタン入力操作（または、ボタン入力方式）は、ハイライトモードの操作に使われる操作方式であり、ユーザはハイライトモードでボタン部２２０を介してユーザ命令を入力することにより、ディスプレイ装置を制御してよい。
【００４７】
ポインティングモードでボタン部２２０を介して入力されたボタン入力操作は、モード切り替え命令を意味する。すなわち、ユーザは、ポインティングモードでボタン部２２０を介してユーザ命令を入力することにより、ディスプレイモードをハイライトモードに切り替えてよい。
【００４８】
通信部２３０は、ディスプレイ装置にモード切り替え命令を伝送する。具体的に、通信部２３０は、タッチパッド部２１０およびボタン部２２０を介して入力されたモード切り替え命令をディスプレイ装置１００に伝送してよい。
【００４９】
図４は、タッチパッド部およびボタン部の構成を示す図である。図４に示すように、ボタン部２２０は、タッチパッド部２１０の下部に位置する。ボタン部２２０は、上下左右ボタンおよび確認ボタンを含んでよく、ボタン部２２０の真上の部であって、ボタン部２２０と密着してタッチパッド部２１０が位置する。それにより、ユーザは、タッチパッド部２１０とボタン部２２０とを操作するために、手またはその他の物体等を移動させることなく同一領域でタッチパッド部２１０およびボタン部２２０を同時に操作することができる。ここで、ボタン部２２０は、上下左右および確認ボタンを含むものとして説明したが、ボタン部は他のボタンを更に含んでよく、または、上記ボタンの一部を省略して実現されてもよい。
【００５０】
図５および図６を参照して、タッチパッド部２１０およびボタン部２２０の操作方式について具体的に説明する。
【００５１】
図５は、タッチパッド部の操作方式を示す図である。図５によると、ユーザはタッチパッド部２１０に指先またはその他の物体を接触してタッチ操作を行うことができる。この場合、ユーザは、ボタン部２２０との接触なしにタッチパッド部２１０を操作することができる。
【００５２】
図６は、ボタン部の操作方式を示す図である。図６によると、ユーザはボタン部２２０と密着したタッチパッド部２１０の特定部分を押してボタン入力操作を行ってよい。
【００５３】
それにより、ユーザは、同一の領域内でタッチパッド部２１０およびボタン部２２０を同時に操作することができ、タッチパッド部２１０を軽く接触する場合には、タッチ操作を行うことができ、タッチパッド部２１０を一定の力以上で押す場合には、ボタン入力操作を行うことができる。すなわち、ユーザは、ハイライトモードにおいては、ボタン部２２０を介したボタン入力操作でディスプレイ装置１００を制御することができ、ディスプレイモードを変更しようとする場合、タッチパッド部１１０を軽く接触することにより、ポインティングモードへのモード切り替え命令を入力することができる。なお、ユーザは、ポインティングモードでタッチパッド部２１０を介したタッチ操作でディスプレイ装置を制御することができ、ディスプレイモードを変更しようとする場合、タッチパッド部２１０を一定の力以上で押してボタン部２２０によるボタン入力操作を行うことにより、ハイライトモードへのモード切り替え命令を入力してよい。
【００５４】
ただ、ボタン入力操作のためには、タッチパッド部２１０との接触が伴うため、ハイライトモードでボタン入力操作を意図した場合にもタッチパッド部２１０との接触によって、ポインティングモードに切り替わってよい。それにより、タッチドラッグ操作が予め設定されたドラッグ回数および予め設定されたドラッグ長のうち、少なくとも一つを満たす場合、ディスプレイモードを切り替えるようにしてよい。たとえば、ユーザから予め設定された長以上のタッチドラッグ操作を受信する場合、ディスプレイモードをポインティングモードに切り替えるようにすることができる。なお、予め設定された回数以上のタッチドラッグ操作を受信する場合、ポインティングモードに切り替えるようにすることができ、予め設定されたドラッグ長および予め設定されたドラッグ回数をすべて満たす場合、ポインティングモードに切り替えるようにすることができる。
【００５５】
なお、タッチパッド操作が予め設定されたタップ回数を満たす場合、ディスプレイモードを切り替えるようにすることができる。たとえば、ユーザから予め設定された回数以上のタッチタップ操作を受信する場合、ディスプレイモードをポインティングモードに切り替えるようにすることができる。
【００５６】
そして、モード切替のために、タッチドラッグ操作およびタッチタップ操作を使用するか否か、ドラッグ長、ドラッグ回数およびタップ回数は、ユーザによって設定されてよく、それにより、ボタン入力操作の際に伴うタッチパッド部の接触およびユーザの誤りによる意図しないポインティングモードへの切り替えを防止することができる。
【００５７】
ここで、ハイライトモードからポインティングモードへのモード切り替え命令に対してのみ、例を挙げて説明したが、ポインティングモードからハイライトモードへのモード切り替え命令においても、予め設定された回数以上のボタン入力操作が入力される場合、ディスプレイモードを切り替えるように設定することができることは勿論である。
【００５８】
図７および図８を参照して、モード切り替え命令によるディスプレイ部１３０におけるユーザインターフェース画面の再構成過程について具体的に説明する。
図７は、ハイライトモードからポインティングモードへのユーザインターフェース画面の再構成過程を示す図である。図７によると、ハイライトモードからポインティングモードに切り替わると、ユーザインターフェース画面上のハイライトが消えてハイライトが位置していたアイコン上にポインタが表示される。
【００５９】
ここで、ユーザインターフェース画面上からハイライトが消える動作およびポインタが表示される動作は、ステップ別に表現されてよい。上述のように、ハイライトモードからポインティングモードへの切り替えは、タッチ操作によって切り替えられてよく、予め設定された基準を満たすタッチ操作の場合、ポインティングモードに切り替わってよい。
【００６０】
図７を参照して、ユーザがモード切り替え命令を３回のドラッグ回数または３回のタップ回数に設定しておく場合について、例を挙げて説明する。図７を参照すると、ユーザが最初の１回のタッチドラッグ操作またはタッチタップ操作を行った場合、ハイライトは薄くなり、ハイライトが位置するアイコン上にポインタが薄く表示される。ここで、ユーザが２回目のタッチドラッグ操作またはタッチタップ操作を行った場合、ハイライトは更に薄くなり、ポインタはより鮮明になる。ユーザが、３回目のタッチドラッグ操作またはタッチタップ操作を行った場合、ハイライトは消えてポインタは完全に鮮明に表示されてポインティングモードに切り替わってよい。それにより、ユーザはユーザインターフェース画面を通じてポインティングモードに切り替わったか否かを確認することができる。
【００６１】
ここで、ユーザが３回目のタッチドラッグ操作またはタッチタップ操作を行う前までは、ハイライトモードに該当して薄く表示されたポインタはタッチ操作によって動かない。なお、ポインティングモードに切り替えられる途中に、タッチ操作なしに一定時間が過ぎるとポインタは次第に薄くなる。それにより、ポインティングモードに切り替えるためのユーザの継続したタッチ入力を誘導することができる。
【００６２】
別の例として、ユーザがモード切り替え命令を１回のドラッグ回数および一定長のドラッグ入力で設定しておいた場合には、ユーザのタッチドラッグ入力の長に応じてポインタが次第に鮮明に表示されてよい。
【００６３】
図８は、ポインティングモードからハイライトモードへのユーザインターフェース画面の再構成過程を示す図である。ポインティングモードからハイライトモードへ切り替わると、ユーザインターフェース画面上のポインタが消えてポインタが位置していたアイコンにハイライトが表示される。
【００６４】
ここで、ユーザインターフェース画面がアイコンで構成された場合のみを例に挙げて説明したが、ユーザインターフェース画面を構成することができる他の表現手段に対しても適用されることは勿論である。
【００６５】
なお、図７を参照して説明したことと類似してユーザインターフェース画面上でポインタが消える動作およびハイライトが表示された動作は段階別に表示されてよい。
【００６６】
図９は、本発明の一実施形態に係るディスプレイ装置の制御方法を示すフローチャートである。
図９によると、ディスプレイ装置の制御方法は、予め設定されたディスプレイモードに対応するユーザインターフェース画面をディスプレイする（Ｓ９１０）。具体的に、ディスプレイ装置は、複数のディスプレイモードを有し、複数のディスプレイモードの何れか一つのディスプレイモードに対応するユーザインターフェース画面をディスプレイする。複数のディスプレイモードは、ハイライトモードまたはポインティングモード等を含んでよく、ハイライトモードは、ユーザインターフェース画面にハイライトを表示し、ポインティングモードはユーザインターフェース画面にポインタを表示することができる。
【００６７】
そして、複数のディスプレイモードに対応する複数の操作方式を有するユーザ入力装置からモード切り替え命令を受信する（Ｓ９２０）。ここで、モード切り替え命令とは、現在のディスプレイモードと異なるディスプレイモードに対応する操作方式によって入力されたユーザ命令のことをいう。上述のように、ユーザ入力装置は、複数のディスプレイモードに対応する複数の操作方式によってユーザ命令を受信する。具体的に、ハイライトモードの操作に使われる操作方式は、ボタン部を介したボタン入力方式であり、ハイライトモードにおけるモード切り替え命令はタッチパッド部を介したタッチ操作のことをいう。具体的に、ハイライトモードにおけるモード切り替え命令は、予め設定されたタッチドラッグ回数または予め設定されたタッチタップ回数を満たす操作であってよい。ポインティングモードの操作に使われる操作方式は、タッチパッド部を介したタッチ入力方式であり、ポインティングモードにおけるモード切り替え命令はボタン部を介したボタン入力操作のことをいう。
【００６８】
なお、受信されたモード切り替え命令に従ってユーザインターフェース画面を再構成する（Ｓ９３０）。具体的に、ハイライトモードからポインティングモードに切り替わると、ユーザインターフェース画面上のハイライトが消えてハイライトが位置していたアイコン上にポインタが表示される。なお、ポインティングモードからハイライトモードに切り替わると、ユーザインターフェース画面上のポインタが消えてポインタが位置していたアイコンにハイライトが表示される。ここで、ユーザインターフェース画面上でハイライトおよびポインタが消えたり表示される動作は、段階的に表現されてよい。
【００６９】
図１０は、本発明の一実施形態に係るディスプレイ装置と接続されたユーザ入力装置の制御方法を示すフローチャートである。
図１０によると、ユーザ入力装置の制御方法は、ディスプレイ装置のディスプレイモード切り替えのためのモード切り替え命令を受信し（Ｓ１０１０）、入力されたモード切り替え命令をディスプレイ装置に伝送する（Ｓ１０２０）。ここで、モード切り替え命令とは、現在のディスプレイモードと異なるディスプレイモードに対応する操作方式によって入力されたユーザ命令のことをいう。
【００７０】
以上では、ディスプレイモードに対してハイライトモードおよびディスプレイモードのみを、モード切り替え命令に対してタッチパッド部およびボタン部を介して入力される場合のみを例に挙げて説明したが、例えば、３Ｄモードセンサを用いてユーザ入力装置の動きに沿ってユーザ命令を受信する操作方式およびそれによるディスプレイモードのように、ユーザインターフェース画面を制御する他の方式およびそれに対応する操作方式を含む場合にも、本発明の技術的思想が適用されることは勿論である。
【００７１】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【００７２】
１１０  通信部
１２０  制御部
１３０  ディスプレイ部
２１０  タッチパッド部
２２０  ボタン部
２３０  通信部
【図２】
2013143142.tif 000003
【図３】
2013143142.tif 000004
【図５】
2013143142.tif 000005
【図６】
2013143142.tif 000006
【図９】
2013143142.tif 000007
【図１０】
2013143142.tif 000008
【図１】
2013143142.tif 000009
【図４】
2013143142.tif 000010
【図７】
2013143142.tif 000011
【図８】
2013143142.tif 000012